(57)【要約】      （修正有）【課題】畳表を素材として和風の雰囲気を有し、耐久性のある鞄類を提供する。【解決手段】皮革、人工皮革又は合成樹脂シートを用いて製作され、収納部が形成された鞄類において、皮革、人工皮革又は合成樹脂シートを芯材１１Ｃとし、シート状の芯材の表面の全部又は一部に畳表１１Ａを接着しかつ該畳表の外縁に帯状の畳縁１１Ｂを重ねて縫合してなるものを主素材とし、鞄類の主構成面部の全部又は一部を主素材によって構成する。帯状の芯材の表面に畳縁１４Ａを重ねて縫合してなるものを副素材とし、鞄類の主構成面部に連続するマチ部を副素材１４を用いて構成し、主構成面部と副素材を相互に縫合することもできる。【選択図】図３
0003143807.tif 000002
【実用新案登録請求の範囲】
【請求項１】
皮革、人工皮革、合成樹脂シートあるいは合成繊維又は植物繊維の織布を用いて製作され、収納部が形成された鞄類において、
皮革、人工皮革、合成樹脂シートあるいは合成繊維又は植物繊維の織布を芯材とし、シート状の上記芯材の表面の全部又は一部に畳表を接着しかつ該畳表の外縁の全部又は一部に帯状の畳縁を重ねて縫合してなるものを主素材とし、
鞄類の主構成面部の全部又は一部が上記主素材によって構成されていることを特徴とする鞄類。
【請求項２】
帯状の上記芯材の表面に畳縁を重ねて縫合してなるものを副素材とし、
鞄類の主構成面部に連続するマチ部が上記副素材を用いて構成され、上記主構成面部と副素材が相互に縫合されている請求項１記載の鞄類。
【請求項３】
シート状の上記芯材の表面中央部分に畳表を重ねて接着し該畳表の上縁に帯状の畳縁を重ねて縫合しかつ上記芯材の両側部分及び下側部分を上記畳表に対して直角になるように折り曲げてマチ部を形成し該マチ部に畳縁を重ねて縫合してなるものをポケット用素材とし、
上記主構成面部には上記ポケット用素材が重ねられてそのマチ部の外縁が上記主構成面部に縫合されてポケット部が構成されている請求項１又は２記載の鞄類。
【請求項４】
フラップ状の上記芯材に畳表を接着しかつ該畳表の外縁に帯状の畳縁を重ねて縫合してなるものをフラップ用素材とし、
該フラップ用素材が鞄類の収納部の開口又はポケット部の開口を覆うように上記主構成面部に重ねられて縫合されている請求項１ないし３のいずれかに記載の鞄類。
【考案の詳細な説明】
【技術分野】
【０００１】
本考案は鞄類に関し、畳表と畳縁を素材とし和風の雰囲気を有する各種形式の鞄に関する。
【背景技術】
【０００２】
鞄は、荷物を入れ、把手を手で持ち、ショルダーストラップを肩にかけ、ショルダーベルトを両肩にかけ、あるいはベルトを腹部に巻いて荷物を持ち運ぶのに用いられる。この種の鞄は、皮革、人工皮革、合成繊維や植物繊維で織った布、硬い合成樹脂板、金属板、ビーズ、竹などで製作されることが多い（特許文献１、特許文献２、特許文献３）。
【０００３】
【特許文献１】特開２００４−２６１５８８号公報
【特許文献２】特開２００３−２２５１１４号公報
【特許文献３】特開２００２−２３３４０９号公報報
【考案の開示】
【考案が解決しようとする課題】
【０００４】
ところで、畳表は畳を構成する素材であるが、畳が和室に用いられるが故に、和風の雰囲気を与える素材として鞄の素材に用いることが考えられる。
【０００５】
しかし、畳表は丸藺草や七島藺草を横糸とし、麻糸や綿糸を経糸として編成されている関係上、例えば畳表で鞄、特にマチ部を構成すると、荷物の重さや外部からの衝撃などによって畳表、特にマチ部の畳表に損傷や割れが発生し、到底使用に耐えない。
【０００６】
本考案はかかる状況において、畳表を素材として和風の雰囲気を有しながら、耐久性のある鞄類を提供することを課題とする。
【課題を解決するための手段】
【０００７】
そこで、本考案に係る鞄類は、皮革、人工皮革、合成樹脂シートあるいは合成繊維又は植物繊維の織布を用いて製作され、収納部が形成された鞄類において、皮革、人工皮革、合成樹脂シートあるいは合成繊維又は植物繊維の織布を芯材とし、シート状の上記芯材の表面の全部又は一部に畳表を接着しかつ該畳表の外縁の全部又は一部に帯状の畳縁を重ねて縫合してなるものを主素材とし、鞄類の主構成面部の全部又は一部が上記主素材によって構成されていることを特徴とする。
【０００８】
本考案の特徴の１つは、皮革、人工皮革、合成樹脂シートあるいは合成繊維又は植物繊維の織布を芯材としその表面に畳表を接着しその外縁の全部又は一部を畳縁で覆って縫合してなる素材を主素材とし、この主素材を用いて鞄類の主構成面部の全部又は一部を構成するようにした点にある。
【０００９】
これにより、畳表と畳縁によって鞄類に和風の雰囲気を与えることができ、今までにない雰囲気の鞄類を提供することができる。
【００１０】
また、畳表を皮革製、人工皮革製、合成樹脂製あるいは合成繊維又は植物繊維の織布製の芯材に接着しているので、通常の使用中における外力、例えば荷物の重さや外部からの衝撃などによって畳表に損傷や割れが発生するおそれを少なくでき、耐久性を保証できる。
【００１１】
さらに、皮革製、人工皮革製、合成樹脂製あるいは合成繊維又は植物繊維の織布製の鞄類であるにもかかわらず、鞄類の主構成面部の全部又は一部の外表面が畳表で構成されているので、鞄類がモルタル壁などに擦れても皮革などのように破れたりモルタル壁を汚したりするおそれが少ない。
【００１２】
本考案において鞄類の主構成面部とは鞄類の構成する広い面であって外部から目につきやすい面、具体的には正面や背面など、マチ部やフラップを除く面をいう。
【００１３】
上記ではマチ部については皮革などをそのまま露出させるようにしたが、和風の雰囲気を付与するために畳表を使用することが考えられる。しかし、畳表を繰り返し折り曲げると、畳表がすぐに傷んでしまう。そこで、畳表ではなく、畳縁を用いるのがよい。
【００１４】
すなわち、本考案に係る鞄類では、帯状の芯材の表面に畳縁を重ねて縫合してなるものを副素材とし、鞄類の主構成面部に連続するマチ部を副素材を用いて構成し、主構成面部と副素材を相互に縫合するのがよい。
【００１５】
また、主素材の両側部分及び下側部分の皮革などを露出させ、畳縁を重ねて縫合し、畳縁の部分を折り曲げてマチ部を有するポケット用素材とすることもできる。
【００１６】
すなわち、本考案に係る鞄類では、シート状の芯材の表面中央部分に畳表を重ねて接着し該畳表の上縁に帯状の畳縁を重ねて縫合しかつ芯材の両側部分及び下側部分を畳表に対して直角になるように折り曲げてマチ部を形成し該マチ部に畳縁を重ねて縫合してなるものをポケット用素材とし、主構成面部にはポケット用素材を重ねてそのマチ部の外縁を主構成面部に縫合することによってポケット部を構成することができる。
【００１７】
本考案は、抱鞄、アタッシュケース、ウエストバッグ、ベルトポーチ（工具袋を含む）、セカンドバッグ、スリーウエイバッグ、ダレスバッグ、トートバッグ、ボストンバッグ、リュックサック、トロリーバッグ、ランドセルなど各種の形式の鞄に適用できるので、請求の範囲では「鞄類」という用語を用いている。
【００１８】
また、収納部の開口やポケット部の開口にフラップを設ける場合、フラップ状の芯材に畳表を接着しかつ該畳表の外縁に帯状の畳縁を重ねて縫合してなるものをフラップ用素材とし、フラップ用素材を鞄類の収納部又はポケット部の開口を覆うように主構成面部に重ねて縫合することによりフラップ部を設けることができる。
【００１９】
畳表は丸藺草や七島藺草を横糸とし、麻糸や綿糸を経糸として編成されたものであるが、防汚加工を施した和紙を素材とする公知の畳表を用いることもできる。
【考案を実施するための最良の形態】
【００２０】
以下、本考案を図面に示す具体例に基づいて詳細に説明する。図１ないし図３は本考案に係る鞄類の好ましい実施形態を示し、これはショルダーバッグに適用した例である。本例のショルダーバッグ１０では正面側の第１の主構成面部１１が主素材によって構成され、背面側の第２の主構成面部１２は皮革（又は人工皮革、合成樹脂シートあるいは合成繊維又は植物繊維の織布）によって構成され、第１の主構成面部１１と第２の主構成面部１２との間をつなぐマチ部１４は副素材を用いて構成され、マチ部１４にはショルダーベルト１８が取付けられ、ショルダーバッグ１０の収納部の開口はフラップ１３によって開閉されるようになっている。
【００２１】
さらに、第１の主構成面部１１にはポケット用素材によってポケット部１６が設けられ、ポケット部１６の開口はフラップ１７によって開閉され、ポケット部及び収納部のフラップ１３、１７はフラップ用素材によって構成されている。
【００２２】
第１の主構成面部１１の主素材は図３に示されるように、四角形シート状の皮革（又は人工皮革、合成樹脂シートあるいは合成繊維又は植物繊維の織布）１１Ｃの表面に畳表１１Ａの全面を接着し畳表１１Ａの外周に帯状の畳縁１１Ｂを重ねて縫い糸によって相互に縫合して製作されている。
【００２３】
マチ部１４の副素材は図３に示されるように、帯状の皮革（又は人工皮革、合成樹脂シートあるいは合成繊維又は植物繊維の織布）１４Ｂの表面に帯状の畳縁表１４Ａを重ねて縫い糸によって相互に縫合して製作され、マチ部１４の副素材の外縁は縫い糸によって第１、第２の主構成面部１１、１２の外縁に縫合されており、これによってショルダーバッグ１０の収納部が構成されている。
【００２４】
ポケット部１６のポケット用素材は図３に示されるように、四角形状の皮革（又は人工皮革、合成樹脂シートあるいは合成繊維又は植物繊維の織布）１６Ｄの表面中央部分に畳表１６Ａの全面を接着し、その上縁に帯状の畳縁１６Ｃを重ねて縫合し、皮革１６Ｄの両側部分及び下側部分を畳表１６Ａに対して直角になるように折り曲げるとともに角部を相互に縫合してマチ部を形成し、マチ部に帯状の畳縁１６Ｂを重ねて縫い糸によって縫合して製作されている。このポケット部１６のポケット用素材のマチ部の外縁は縫い糸によって第１の主構成面部１１に縫合されている。
【００２５】
フラップ１３、１７のフラップ用素材は図３に示されるように、皮革製（又は人工皮革製、合成樹脂シートあるいは合成繊維又は植物繊維の織布）のフラップ状の芯材１３Ｃ、１７Ｃの表面に畳表１３Ａ、１７Ａの全面を接着し畳表１３Ａ、１７Ａの外縁に帯状の畳縁１３Ｂ、１７Ｂを重ねて縫い糸によって縫合して製作されている。このフラップ１３、１７のフラップ用素材はポケット１６の開口及び収納部の開口を覆うように第１、第２の主構成面部１１、１２に重ねられて縫い糸によって主構成面部１１、１２に各々縫合されている。
【００２６】
また、フラップ用素材には受具１９が取付けられ、第１の主構成面部１１及びポケット部１６には止め具２０が取付けられ、止め具２０を受け具１９の穴に挿通して捻ることによってフラップ１３、１７をロックできるようになっている。
【００２７】
以上のように、本例のショルダーバッグ１０では外から見える部分が畳縁で縁取られた畳表によって構成されているので、皮革製、人工皮革製、合成樹脂材料製あるいは合成繊維又は植物繊維の織布製のショルダーバッグとは全く異なる和風の印象のショルダーバッグを提供することができる。
【００２８】
また、畳表を皮革製の芯材に接着しているので、通常の使用中における外力、例えば荷物の重さや外部からの衝撃などによって畳表に損傷や割れが発生するおそれは少なく、耐久性を保証できる。
【００２９】
さらに、皮革製（又は人工皮革製、合成樹脂製あるいは合成繊維又は植物繊維の織布製）の鞄類であるにもかかわらず、外表面が畳表で覆われているので、鞄類がモルタル壁などに擦れても皮革のように破れたりモルタル壁を汚したりするおそれが少ない。
【００３０】
図４は第２の実施形態を示し、これはベルト吊下げ式の工具袋に適用した例である。図において、第１の主構成面部２１は第１の主素材を用いて構成され、第１の主素材は皮革製（又は人工皮革製、合成樹脂製あるいは合成繊維又は植物繊維の織布製）の芯材２１Ｃの上半部に畳表２１Ａの全面を接着し、その周縁に広幅の畳縁２１Ｂを重ねて縫合して製作され、第１の主構成面部２１の第１の主素材の上端部は折り返され縫合されることによってベルト挿通部２１Ｄが形成されている。
【００３１】
この第１の主構成面部２１の下半部には第２の主構成面部２２がマチ部２３を介して取付けられている。第２の主構成面部２２は第２の主素材を用いて構成され、第２の主素材は皮革製（又は人工皮革製、合成樹脂製あるいは合成繊維又は植物繊維の織布製）の芯材の表面に畳表２２Ａの全面を接着し、その上縁に帯状の畳縁２２Ｂを重ねて縫合して製作されている。
【００３２】
マチ部２３は副素材を用いて構成されている。この副素材は帯状皮革製（又は人工皮革製、合成樹脂製あるいは合成繊維又は植物繊維の織布製）の芯材２３Ｂの表面に帯状の畳縁２３Ａを重ねて縫い糸で縫合して製作され、マチ部２３の副素材の後側縁は第１の主構成面部２１に縫い糸によって縫合され、マチ部２３の副素材の前側縁は第２の主構成面部２２に縫い糸によって縫合されており、これによって工具袋２０の主収納部が構成されている。
【００３３】
第２の主構成面部２２には第１のポケット部２４が形成されている。この第１のポケット部２４は第３の主素材を用いて構成され、第３の主素材は皮革製（又は人工皮革製、合成樹脂製あるいは合成繊維又は植物繊維の織布製）の芯材の表面に畳表２４Ａの全面を接着し、上縁に帯状の畳縁２４Ｂを重ねて縫合するとともに、２本の帯状の畳縁２３Ｃを横方向に相互に間隔をあけて縦方向に延びて重ねて縫い糸によって縫合して製作され、第１のポケット部２４の第３の主素材の両側縁は第２の主構成面部２２の第２の主素材の両側縁とともにマチ部２３の内面に縫合されている。
【００３４】
また、第１のポケット部２４の表面には第２のポケット部２５が形成されている。この第２のポケット部２５はポケット用素材を用いて構成され、ポケット用素材は皮革製（又は人工皮革製、合成樹脂製あるいは合成繊維又は植物繊維の織布製）の芯材の表面中央部分に畳表２５Ａの全面を接着し、その上縁に帯状の畳縁２５Ｂを重ねて縫合し、芯材の両側部分及び下側部分を直角になるように折り曲げ角部を相互に縫合してマチ部を形成し、マチ部に畳縁２５Ｃを重ねて縫い糸によって縫合して製作されている。このポケット用素材の外縁は第１のポケット部２４の表面に重ねられて縫い糸によって縫合されている。
【００３５】
このように、本考案はベルト吊り下げ工具袋に適用すると、今までにない和風の雰囲気のある工具袋を提供することができる。
【図面の簡単な説明】
【００３６】
【図１】本考案に係る鞄類の好ましい実施形態を正面から見た状態を示す斜視図である。
【図２】上記実施形態を背面から見た状態を示す斜視図である。
【図３】上記実施形態を示す分解斜視図である。
【図４】第２の実施形態を示す斜視図である。
【符号の説明】
【００３７】
１０        ショルダーバッグ
１１        第１の主構成面部
１１Ａ      畳表
１１Ｂ      畳縁
１１Ｃ      芯材
１３        フラップ
１３Ａ      畳表
１３Ｂ      畳縁
１３Ｃ      芯材
１４        マチ部
１４Ａ      畳縁
１４Ｂ      芯材
１６        ポケット部
１６Ａ      畳表
１６Ｂ      畳縁
１６Ｃ      畳縁
１６Ｄ      芯材
１７        フラップ
１７Ａ      畳表
１７Ｂ      畳縁
１７Ｃ      芯材
２０        工具袋
２１        第１の主構成面部
２１Ａ      畳表
２１Ｂ      畳縁
２１Ｃ      芯材
２２        第２の主構成面部
２２Ａ      畳表
２２Ｂ      畳縁
２３        マチ部
２３Ａ      畳縁
２３Ｂ      芯材
２４        第１のポケット部
２４Ａ      畳表
２４Ｂ      畳縁
２５        第２のポケット部
２５Ａ      畳表
２５Ｂ      畳縁
２５Ｃ      畳縁
【図１】
0003143807.tif 000003
【図２】
0003143807.tif 000004
【図３】
0003143807.tif 000005
【図４】
0003143807.tif 000006